(57)【要約】  本発明は漢字を構成する字画が複数個配置された３列４行のキーパッドを具備した情報通信器機で漢字を入力する方法に関する。本発明は漢字を構成する字画が複数個配置されたキーパッドを具備した携帯電話で漢字を入力する方法にあって入力しようとする漢字を一定順序を具備した字画の単位で分離して上記キーパッドに配置された字画を筆順によって漢字を組み合わせて入力するが、入力しようとする字画が配置されたキーに複数個の字画が配置してあれば上記キーを複数回押すことによって入力しようとする字画を選ぶ段階と、上記の入力段階を所定回反復すれば入力された字画に始まるすべての漢字が上記の分離された字画の順序及び筆順によって整列されて、整列された順序どおりに目録窓に現れる段階と、上記目録窓に現れた漢字のうち使用者が望む漢字を選ぶ段階を具備して成り立ったものを特徴にする。【選択図】図３
2009501963.tif 000002
【特許請求の範囲】
【請求項１】
漢字を構成する字画が複数個配置された３列４行のキーパッドを利用して漢字を入力する方法であって、
入力しようとする漢字を字画単位で分離して、前記キーパッドに配置された字画を筆順によって組み合わせて順番どおりに入力する段階と、
前記入力段階を所定回反復すると、入力された字画で始まるすべての漢字を目録窓に表示する段階と、
前記目録窓に表示された漢字の中で使用者が望む漢字を選ぶ段階と
を具備する方法。
【請求項２】
前記キーパッドに配置された字画が、
2009501963.tif 000141
のような２６個の字画である、請求項１に記載の方法。
【請求項３】
前記キーパッドに配置された字画が、
2009501963.tif 000142
のような１７個の字画である、請求項１に記載の方法。
【請求項４】
複数の漢字が前記目録窓に表示される場合、それらの漢字は漢字アルファベット配列法によって配置される、請求項１に記載の方法。
【請求項５】
前記目録窓における複数の漢字が３０単位で配置されて、それぞれのグループ別の移動は方向キーなどのキーを利用して行われる、請求項３に記載の方法。
【請求項６】
望む漢字の選択はキーパッド上の数字キーと確認キーを押すことによって行われる、請求項１に記載の方法。
【請求項７】
使用頻度が高い所定個数の漢字が配列される頻度窓を、前記目録窓と共に生成する段階を更に備える、請求項４に記載の方法。
【請求項８】
機能キーと共に使用頻度が高い漢字または部首が配置されたキーが押された場合に、字画代りにその漢字または部首が一度に入力される、請求項１に記載の方法。
【請求項９】
請求項１〜７のいずれか一項に記載の漢字を入力する方法を遂行する為の漢字入力のシステムであって、
漢字を構成する字画が配置されたキーパッドを含み、使用者が特定キーを押す場合には各特定キーに対応するキーデーター信号を発生して出力するキー入力部と、
前記キー入力部からの前記キーデーター信号を受信して、使用者が入力しようとする漢字の入力及び表示を制御する文字発生制御部と、
前記キー入力部で出力された前記キーデーター信号及び前記文字発生制御部で出力された制御信号を受信して、入力されたキーによる選ばれた漢字を表示する表示部と
を具備する漢字入力システム。
【請求項１０】
前記キーパッドに配置された字画が、
2009501963.tif 000143
のような２６個の字画である、請求項９に記載の漢字入力システム。
【請求項１１】
前記キーパッドに配置された字画が、
2009501963.tif 000144
のような１７個の字画である、請求項９に記載の漢字入力システム。
【発明の詳細な説明】
【技術分野】
【０００１】
本発明は携帯電話に使用されることのような３列４行キーパッドを利用して漢字を入力する方法に関し、より詳しくは２８種に分類された漢字の字画が２６個または１７個配置されたキーパッドを利用して漢字筆順によって入力することが出来る漢字入力方法に関するものである。
【背景技術】
【０００２】
従来の漢字事典などで望む漢字を探すには部首別、子音別、総画別の検索法を利用した。この中で、部首別検索法は部首を識別する過程、部首の画数を計算する過程、部首索引で該当部首を探す過程、部首を除外したあまり画数を計算する過程及び、該当の字を見付ける過程を経ることになる。このような部首の検索法を利用する為には部首を学習しなければならないので多い時間が必要で、甚だしくは相当な漢字実力がある場合にもかかわらず全ての部首を識別することは簡単ではない問題点がある。
【０００３】
また、子音検索法は漢字の音によって検索する方法や、分らない字は子音さえも分らない場合が大部分であって実際に使用するにはとても不便な方法である。そして、総画検索法は全体表題字を１画から最大６４画までの画数に所属させなければならないので、それぞれの画数に属する字があまりにも多いから探すことに多い時間が要求される問題点がある。
【０００４】
このように従来の方法で漢字を検索するには多い時間と苦労が必要なものが現実情である。そして、漢字をコンピューターや携帯電話の情報通信の端末機を利用して入力することはこのような検索法の困難と漢字自体の複雑性為にとても難しい。
【０００５】
現在、広く使用されている携帯電話のように３列４行のキーパッドを持った情報通信の端末機を利用して文字を入力することによって、キーパッド、すなわち文字の機能と役割りは非常に重要だ。例えば、携帯電話キーパッドにはハングルを入力する為にハングルの子音と母音がキーパッドに配置されてあるので、キーパッドの各キーまたは拡張キーなどを利用してハングルのすべての字を具現することが出来る。このように英語もキーパッドに配置されたアルファベットを利用して入力しようとする単語を順次的に押すことによって入力することが出来る。
【０００６】
ところで漢字は意味がある字なので携帯電話などの情報通信の端末機を利用して文字を入力することがとても難しい。これは漢字の個数が理論的には無限大であって、中国で公式的に指定された漢字だけでも約７千字であるので、さらにこのような数多くの漢字を効率的に入力しにくい。よってコンピューターについて中国や台湾ではより効率的な入力法を探す為に全国的な競演大会を開催している実情であって、今まで紹介された漢字入力法が数百種が越えるのに、これはコンピューターなどで漢字を入力する方法に対する悩みが極に達したのを示唆する。まして、入力キーの数字がずっと少ない携帯電話上の漢字入力はどんな方式でやっても余りに大変なものであるのが現実である。
【０００７】
従来の漢字の入力方法には、中国で使っている「漢語併音」方式がある。これは中国語発音をローマ字で入力した後、再び中国語で変換する方式を言う。この方式は中国大陸だけでなく、外国人が中国語を習うときいちばん利用する方式である。次に、台湾で使用している「主音符号」方式がある。これは中国語の発音記号に該当する主音符号を入力して多数個の中国語が表示されると、その中で望む字を選ぶ方式を言う。しかし、主音符号は習得することが難しくて、台湾内でも「漢語併音」方式を従おうと言う主張を大きく表す実情である。日本で利用する漢字入力方法も中国で利用する方法と類似する。
【０００８】
このように併音入力法や主音符号を利用した入力法によると、入力された併音や主音に一致する多数の漢字が携帯電話の画面に現れることになって、その中で必要な漢字を数字または確認キーなどを利用して入力することになる。しかし、このような方式の問題点は入力法を習得するのに多い時間が所要されるだけではなく、もともと漢字の姿と差が沢山つくので不自然である。そして併音と主音がよみがえない漢字が登場する時に検索の困った事が多いと言うのである。
【０００９】
このように文字の限界に因って携帯電話などのような情報器機で入力と検索が同一に成り立つことが出来なくて利用速度が遅いので情報化の時代で競争力が落ちるしかない。勿論この一つの事実だけで競争力を見当つける絶対的な物差しで見る事が出来ないが、反対に携帯電話などの情報通信の端末機を利用した文書の作成と文字メッセージの転送にあって別の方式より早いとすれば、それによった競争力の向上は大きな助けになるだろう。
【発明の開示】
【発明が解決しようとする課題】
【００１０】
本発明は上記の点を勘案して、発明されたもので、中国、日本、韓国など漢字文化圏の国で携帯電話の３列４行キーパッドを利用して漢字を入力しようとする場合には、漢字を字画別に分離されたものを組み合わせて一体型で入力することが出来る漢字入力方法を提供することにその目的がある。
【課題を解決するための手段】
【００１１】
本発明は、漢字を構成する字画が複数個配置された３列４行のキーパッドを使用して漢字を入力する方法で、入力しようとする漢字を字画単位で分離して、上記キーパッドに配置された字画を筆順によって組み合わせて順番どおりに入力する段階、上記の入力段階を所定回反復すると、入力された字画で始まるすべの漢字が目録窓に現れる段階及び上記の目録窓に現れた漢字の中で使用者が望む漢字を選ぶ段階を具備して成り立ったものを特徴にする。
【００１２】
このとき、上記キーパッドに配置された字画は
2009501963.tif 000003
のような２６個の字画である。
【００１３】
あるいは、上記キーパッドに配置された字画は
2009501963.tif 000004
のような１７個の字画である。
【００１４】
複数個である場合には、漢字は漢字アルファベットの配列法によって配置されて、上記の目録窓の漢字らが３０単位で配置されて、それぞれのグループ別の移動は方向キーなどを利用して可能である。また、望む漢字の選択はキーパッドの確認キーを押すことによって可能である。
【００１５】
本発明では、使用頻度が高い所定 個数の漢字が配列される頻度窓が上記の目録窓と共に生成されることが出来て、機能キーと共に使用頻度が高い漢字または部首が配置されたキーを押せば字画代りにその漢字または部首が一度に入力されることも出来る。
【００１６】
このような漢字アルファベットの入力方法を遂行する為の漢字入力のシステムは、漢字を構成する字画が配置されたキーパッドを具備して、使用者が特定キーを押す場合には各キーに対応するキーデーターの信号を発生して出力するキー入力部、上記キー入力部からキーデーターの信号を受信して、使用者が入力しようとする漢字の入力及び表示を制御する文字発生制御部及び、上記のキー入力部で出力されたキーデーターの信号及び上記文字発生制御部で出力された制御信号を受信して、入力されたキーによる選ばれた漢字を表示する表示部を具備することを特徴にする。
【発明の効果】
【００１７】
漢字はその数字が多くてハングルと英語のアルファベットのように具現するのには構造的な欠陥を持っている。従って、漢字のこのような問題点にもかかわらず、本発明はハングルと英語のアルファベットのように画面に独立的な入力方式を具現する為に、組合型方式を利用する。今までのすべての漢字の入力方法はすでに作り出された完成型漢字を出して使用する方式、すなわち、画面を見て入力する方式であったが、本発明は組合型の方式を利用するので画面に依存しなくても文書だけ見て入力することが出来ることになる。
【００１８】
本発明によれば携帯電話などのキーパッドを利用して漢字を入力しようとする場合には、初声、中声、終声を組み合わせて一体型で入力するハングルと同じ方式で、漢字もやはり最小限の基本字画を組み合わせて、一体型で入力することが出来る。漢字も同じ方式を利用して入力すれば、新しい漢字が作り出されると言ってもすべて具現することが出来る長所がある。
【００１９】
以下、添附された図面を参照して、本発明による望ましい実施形態を詳しく説明することにする。しかし、以下の実施形態はこの技術分野で通常的な知職を持った者に本発明が充分に理解されるように提供されることでいろいろの別な形態で変形なることが出来て、本発明の範囲が次に記述される実施形態に限定されるのではない。
【発明を実施するための最良の形態】
【００２０】
以下、例示図面を参照して本発明による実施形態を詳細に説明する。
【００２１】
まず、漢字アルファベットの配列法について説明する。
【００２２】
漢字のアルファベットの配列法（漢字ALPHABET配列法）と言うのは韓国や台湾のは翻体字、日本式略字、中国の間体字を分析して字に使用されるすべての画を２８個に整理して、このような字画２８個について順序を付与して全体の漢字を配列したものである。
【００２３】
このような２８個の字画のうち１８個は漢字を使うときー番目の画から使用されることが出来ることであって、残り１０個は漢字を使うときー番目の画では使用されなくて,二番目の画の以下から現れることである。漢字アルファベットの配列法を利用すれば漢字を分類する方法が２１４個の部首を利用した方法に比べて２８個の字画を利用した分類で大幅に短縮することが出来る。
【００２４】
漢字アルファベットの配列法による２８個の字画は次のようである。
2009501963.tif 000005
2009501963.tif 000006
2009501963.tif 000007
2009501963.tif 000008
2009501963.tif 000009
2009501963.tif 000010
2009501963.tif 000011
2009501963.tif 000012
2009501963.tif 000013
2009501963.tif 000014
2009501963.tif 000015
2009501963.tif 000016
2009501963.tif 000017
2009501963.tif 000018
2009501963.tif 000019
2009501963.tif 000020
2009501963.tif 000021
2009501963.tif 000022
2009501963.tif 000023
2009501963.tif 000024
2009501963.tif 000025
2009501963.tif 000026
2009501963.tif 000027
2009501963.tif 000028
2009501963.tif 000029
2009501963.tif 000030
2009501963.tif 000031
2009501963.tif 000032
【００２５】
この中で、（２）、（３）、（６）、（７）、（１５）、（１６）、（１８）、（１９）、（２５）、（２６）番は漢字の二番目の画の以下から現れる。
【００２６】
このように整理された総２８個の画を基準で全体漢字を順番に配列する方法は次のようだ。先に、個別漢字の一番目の画が上記２８個の基本画のうちどれを利用するのかによって分類すれば、全体漢字について総１８個グループが生成される。このような１８個ケグループの順序は上記の羅列した順序に従う。それぞれのグループ内に属する漢字の順序は再び二番目の画を分析して二番目の画によるそれぞれのグループで分けて、二番目の画によるそれぞれのグループもやはり上記に羅列した字画の順序に従う。再び三番目の画によるグループに分けて四番目の画によるグループに分ける過程などを続けて反復すると、全体の漢字について順番が決められる。従って、中国、韓国、日本の漢字などのすべての漢字らを上記のような漢字アルファベットの配列法を利用して順番に体系的に配列が出来ることである。
【００２７】
このような漢字アルファベットの配列法を利用して中国式の漢字部首を配列すれば図１のように表すことが出来る。図１は中国式の漢字部首を漢字アルファベットの配列法によって順番に配列したもので、（１）、（４）、（５）、（８）、（９）、（１０）、（１１）、（１２）、（１３）、（１４）、（１７）、（２０）、（２１）、（２２）、（２３）、（２４）、（２７）、（２８）字画の総１８個を基準にすべての漢字部首が順番に配列されることが分かる。このように図２を参照すれば日本式の漢字部首を漢字アルファベットの配列法を利用して順番に配列されることが出来る。
【００２８】
従来の部首検索法を利用すれば時間が沢山所要されて、画数の計算が違うと検索に失敗することが出来るが、漢字アルファベットの配列法を利用して検索すれば国語辞典や英語辞典のように部首や画数を考慮しなくても簡単に探すことが出来る。また、既存の総画入力法によっても漢字の検索が難しかったが、漢字アルファベットの配列法を利用すれば既存の方法よりずっと速く検索することが出来る長所がある。
【００２９】
次に、図３乃至図７を参照して漢字アルファベットの配列法による漢字入力の方法を説明する。
【００３０】
詳述した漢字アルファベットの配列法は漢字を字画単位で分解したので、漢字アルファベットの入力法と言うのは、このような漢字の字画単位に従った入力方法である。
【００３１】
上記のような漢字の字画２８個は携帯電話で使用者がもっとも便利に使えるし、もっとも効率的に漢字を入力することが出来る位置に適切に配置すれば良い。また、上記２８個の画うち（２）番と（３）番を統合して一つにして、（１０）番と（１１）番を統合して 一つにして総２６個の画を利用することも出来る。さらに字画の個数を大きく減らして１７個の字画をキーパッドに配置する場合には、すべての漢字を組み合わせることができながら、キーパッドが単純になって使用者がもっとも便利に利用することが出来ることになる。
１７個の字画は漢字の組合を考慮して
2009501963.tif 000033
にすることが出来る。
【００３２】
このようにキーパッドに２６個の字画を配置した例を図３〜図６を参照して説明する。図３は本発明の望ましい実施形態による漢字アルファベットの入力方法を遂行する為のキーパッド配置の一例であって、図４と図５は本発明の実施形態による漢字のアルファベットの入力方法を遂行する為のキーパッド配置の別な例である。そして図６は日本語漢字を入力することが出来るように携帯電話上に具現される漢字アルファベットの配置の一例である。
【００３３】
図３〜図６を参照すれば、総２６個の字画が入力される漢字の頻度数、字画の頻度数、始めの画に利用される字画なのかの可否などを基準で１１個または１２個キーパッドに最適化して配列した。ここではキーパッドの字画の配置にあって四つの例だけを図示したが、実際の製品の具現によってまたは、使用者の便宜によって多様な違った例も可能は勿論である。そして、字画の位置が漢字のアルファベット順ではなくても,字画の入力の原則は漢字アルファベットに従う。
【００３４】
このようなキーパッドを利用した漢字の入力方法のうち第１の入力法は、入力しようとする漢字の字画を分析した後、その字画を筆順によって順番どおり入力することである。
【００３５】
例えば、図３を基準で漢字の組合の例をあげると次のようである。
一：（５）
二：（５） （５）
三：（５） （５） （５）
干：（５） （５） （８）
土：（５） （８） （５）
正：（５） （８） （５） （８） （５）
口：（８） （４） （５）
里：（８） （４） （５） （５） （８） （５） （５）
古：（５） （８） （８） （４） （５）
【００３６】
従って、使用者が「一」を入力しようとする時には（５）の字画が配置された キーを一度押せば良い。類似に使用者が「二」を入力しようとする時には（５）の字画が配置されたキーを２回引き続いて押せば良いし、「土」を入力しようとする時には（５） （８） （５）が配置されたキーを順番どおりに押せば良い。この時、使用者は入力しようとする漢字を成すそれぞれの字画を順番どおり押した後、確認キーや移動キーを押すことによって字間区分することが出来る。
【００３７】
そして、（４）番キーなどのように多数の字画が配置されたキーでは、現在の携帯電話のハングルの入力方法で使用されるように、キーを一度押せば一番目の字画が表示され、携帯電話の画面のカーサーがぽっとする間キーを再び押すと二番目の字画が表示される式で具現することが出来る。確定の為には確認キーを押す式で具現することが出来る。
【００３８】
以下では図３に図示されたキーパッドを利用して漢字を入力する第１の入力方法の具体的な例について説明する。RSキーは‘Right Shift’の略字であり、０番のキの右側キーを指して、LSキーは ‘Left shift’の略字であり、０番キーの左側キーを指す。
【００３９】
まず、（１）番キーの字画の
2009501963.tif 000034
が一番目の字画の場合、任意の二番目の字画と結合する時現れる漢字の例は次のようなである。参考で、二番目の字画で（２）番キー、（５）番キー、（７）番キー、（９）番キー、LSキーと結合する漢字は存在しないのであり、次のような字画と二番目の字画で結合される。
【００４０】
（１）+（１）番キーが結合された場合：
2009501963.tif 000035
【００４１】
（１）+（３）番キーが結合された場合：
2009501963.tif 000036
【００４２】
（１）+（４）番キーが結合された場合：
2009501963.tif 000037
【００４３】
（１）+（６）番キーが結合された場合：
2009501963.tif 000038
【００４４】
（１）+（８）番キーが結合された場合：
2009501963.tif 000039
【００４５】
（１）+（０）番キーが結合された場合：
2009501963.tif 000040
【００４６】
（１）+（RS）キーが結合された場合：
2009501963.tif 000041
【００４７】
次に、（２）番のキーの字画の
2009501963.tif 000042
参考で、二番目の字画で（１）番キー、（４）番キー、（９）番キー、RSキーは結合する漢字は存在しないのであり、次のような字画と二番目の字画で結合する。
【００４８】
（２）+（２）番キーが結合された場合 ：
2009501963.tif 000043
【００４９】
（２）+（３）番キーが結合された場合：
2009501963.tif 000044
【００５０】
（２）+（５）番キーが結合された場合：
2009501963.tif 000045
【００５１】
（２）+（６）番キーが結合された場合：
2009501963.tif 000046
【００５２】
（２）+（７）番キーが結合された場合：
2009501963.tif 000047
【００５３】
（２）+（８）番キーが結合された場合：
2009501963.tif 000048
【００５４】
（２）+（０）番キーが結合された場合：
2009501963.tif 000049
【００５５】
（２）+（LS）キーが結合された場合：
2009501963.tif 000050
【００５６】
次に、（３）番キーの字画の
2009501963.tif 000051
が一番目の字画の場合、任意の二番目の字画と結合する時、現れる漢字の例は次のようである。参考で、二番目の字画で（２）番キー、（０）番キーと結合する漢字は存在しないのであり、次のような字画と二番目の字画で結合される。
【００５７】
（３）+（１）番キーが結合された場合：
2009501963.tif 000052
【００５８】
（３）+（３）番キーが結合された場合：
2009501963.tif 000053
【００５９】
（３）+（４）番キーが結合された場合：
2009501963.tif 000054
【００６０】
（３）+（５）番キーが結合された場合：
2009501963.tif 000055
【００６１】
（３）+（６）番キーが結合された場合：
2009501963.tif 000056
【００６２】
（３）+（７）番キーが結合された場合：
2009501963.tif 000057
【００６３】
（３）+（８）番キーが結合された場合：
2009501963.tif 000058
【００６４】
（３）+（９）番キーが結合された場合：
2009501963.tif 000059
【００６５】
（３）+（LS）キーが結合された場合：
2009501963.tif 000060
【００６６】
（３）+（RS）キーが結合された場合：
2009501963.tif 000061
【００６７】
次に、（４）番キーの字画の
2009501963.tif 000062
が一番目の字画の場合、任意の二番目の字画と結合する時現れる漢字の例は次のようである。参考で、二番目の字画で（１）番キー、（２）番キー、（３）番キー、（４）番キー、（６）番キー、（９）番キー、LSキーと結合する漢字は存在しなく、次のような字画と二番目の字画として結合される。
【００６８】
（４）+（５）番キーが結合された場合：
2009501963.tif 000063
【００６９】
（４）+（７）番キーが結合された場合：
2009501963.tif 000064
【００７０】
（４）+（８）番キーが結合された場合：
2009501963.tif 000065
【００７１】
（４）+（０）番キーが結合された場合：
2009501963.tif 000066
【００７２】
（４）+（RS）キーが結合された場合：
2009501963.tif 000067
【００７３】
次に、（５）番キーの字画の一が一番目の字画の場合、任意の二番目の字と結合する時現れる漢字の例は次のようである。参考で、一は二番目の字画ですべてのキーと結合される。
【００７４】
（５）+（１）番キーが結合された場合：
2009501963.tif 000068
【００７５】
（５）+（２）番キーが結合された場合：
2009501963.tif 000069
【００７６】
（５）+（３）番キーが結合された場合：
2009501963.tif 000070
【００７７】
（５）+（４）番キーが結合された場合：
2009501963.tif 000071
【００７８】
（５）+（５）番キーが結合された場合：
2009501963.tif 000072
【００７９】
（５）+（６）番キーが結合された場合：
2009501963.tif 000073
【００８０】
（５）+（７）番キーが結合された場合：
2009501963.tif 000074
【００８１】
（５）+（８）番キーが結合された場合：
2009501963.tif 000075
【００８２】
（５）+（９）番キーが結合された場合：
2009501963.tif 000076
【００８３】
（５）+（０）番キーが結合された場合：
2009501963.tif 000077
【００８４】
（５）+（LS）キーが結合された場合：
2009501963.tif 000078
【００８５】
（５）+（RS）キーが結合された場合：
2009501963.tif 000079
【００８６】
次に、（６）番キーの字画の
2009501963.tif 000080
が一番目の字画の場合、任意の二番目の字と結合する時現れる漢字の例は次のようである。参考で、二番目の字画で（１）番キー、（４）番キー、LSキーと結合する漢字は存在しなくて、次のような字画と二番目の字画で結合される。
【００８７】
（６）+（２）番キーが結合された場合：
2009501963.tif 000081
【００８８】
（６）+（３）番キーが結合された場合：
2009501963.tif 000082
【００８９】
（６）+（５）番キーが結合された場合：
2009501963.tif 000083
【００９０】
（６）+（６）番キーが結合された場合：
2009501963.tif 000084
【００９１】
（６）+（７）番キーが結合された場合：
2009501963.tif 000085
【００９２】
（６）+（８）番キーが結合された場合：
2009501963.tif 000086
【００９３】
（６）+（９）番キーが結合された場合：
2009501963.tif 000087
【００９４】
（６）+（０）番キーが結合された場合：
2009501963.tif 000088
【００９５】
次に、（７）番キーの字画の
2009501963.tif 000089
が一番目の字画の場合、任意の二番目の字と結合する時現れる漢字の例は次のようである。参考で、二番目の字画で（１）番キー、LSキーと結合する漢字は存在しなくて、次のような字画と二番目の字画で結合される。
【００９６】
（７）+（２）番キーが結合された場合：
2009501963.tif 000090
【００９７】
（７）+（３）番キーが結合された場合：
2009501963.tif 000091
【００９８】
（７）+（４）番キーが結合された場合：
2009501963.tif 000092
【００９９】
（７）+（５）番キーが結合された場合：
2009501963.tif 000093
【０１００】
（７）+（６）番キーが結合された場合：
2009501963.tif 000094
【０１０１】
（７）+（７）番キーが結合された場合：
2009501963.tif 000095
【０１０２】
（７）+（８）番キーが結合された場合：
2009501963.tif 000096
【０１０３】
（７）+（９）番キーが結合された場合：
2009501963.tif 000097
【０１０４】
（７）+（０）番キーが結合された場合：
2009501963.tif 000098
【０１０５】
（７）+（RS）キーが結合された場合：
2009501963.tif 000099
【０１０６】
次に、（８）番キーの字画の
2009501963.tif 000100
が一番目の字画の場合、任意の二番目の字画と結合する時現れる漢字の例は次のようである。参考で、二番目の字画で（１）番キー、（７）番キー、（９）番キー、LSキーと結合する漢字は存在しなくて、次のような字画と二番目の字画で結合される。
【０１０７】
（８）+（２）キーが結合された場合：
2009501963.tif 000101
【０１０８】
（８）+（３）キーが結合された場合：
2009501963.tif 000102
【０１０９】
（８）+（４）キーが結合された場合：
2009501963.tif 000103
【０１１０】
（８）+（５）キーが結合された場合：
2009501963.tif 000104
【０１１１】
（８）+（６）キーが結合された場合：
2009501963.tif 000105
【０１１２】
（８）+（８）キーが結合された場合：
2009501963.tif 000106
【０１１３】
（８）+（０）キーが結合された場合：
2009501963.tif 000107
【０１１４】
（８）+（RS）キーが結合された場合：
2009501963.tif 000108
【０１１５】
次に、（９）番キーの字画の
2009501963.tif 000109
以外には一番目の字画で現れない。参考で、
2009501963.tif 000110
で始める漢字は総７千字のなかで４個にすぎないので、（９）番キーと別のキーの二度だけクリックすれば入力する事が出来る。
【０１１６】
（９）+（１）キーが結合された場合：
2009501963.tif 000111
【０１１７】
（９）+（２）キーが結合された場合：
2009501963.tif 000112
【０１１８】
（９）+（５）キーが結合された場合：
2009501963.tif 000113
【０１１９】
次に（０）番キーの字画の
2009501963.tif 000114
が一番目の字画の場合、任意の二番目の字画と結合する時現れる漢字の例は次のようである。参考で、二番目の字画で（１）番キー、（２）番キー、（５）番キー、（７）番キー、LSキーと結合する漢字は存在しなくて、次のような字画と二番目の字画で結合される。
【０１２０】
（０）+（３）キーが結合された場合：
2009501963.tif 000115
【０１２１】
（０）+（４）キーが結合された場合：
2009501963.tif 000116
【０１２２】
（０）+（６）キーが結合された場合：
2009501963.tif 000117
【０１２３】
（０）+（８）キーが結合された場合：
2009501963.tif 000118
【０１２４】
（０）+（９）キーが結合された場合：
2009501963.tif 000119
【０１２５】
（０）+（０）キーが結合された場合：
2009501963.tif 000120
【０１２６】
（０）+（RS）キーが結合された場合：
2009501963.tif 000121
【０１２７】
次に、（ＬＳ）キーの字画の
2009501963.tif 000122
は漢字の一番目の字画に使われる場合がない。従って、例えば（ＬＳ）キーに別の完成された 漢字やよく使用される部首などを配置することによって, 使用者が（ＬＳ）キーを押せば
2009501963.tif 000123
代りに（ＬＳ） キーに配置された別の完成された漢字や 部首などが一度に入力されることができる。勿論（ＬＳ）キーが一番目の字画としてではない二番目の以上の字画として入力される 場合には、（ＬＳ）キーにもともと配置された
2009501963.tif 000124
が入力される。
【０１２８】
（RS）キーの字画の
2009501963.tif 000125
が一番目の字画である場合には、任意の二番目の字画と結合する時、現れる漢字らの例は次のようである。参考で、二番目の字画で（１）番キー、（２）番キー、（４）番キー、（６）番キー、（９）番キー、LSキーと結合する漢字は存在しなくて、次のような字画と二番目の字画で結合される。
【０１２９】
（RS）+（３）キーが結合 された場合：
2009501963.tif 000126
【０１３０】
（RS）+（５）キーが結合 された場合：
2009501963.tif 000127
【０１３１】
（RS）+（７）キーが結合 された場合：
2009501963.tif 000128
【０１３２】
（RS）+（８）キーが結合 された場合：
2009501963.tif 000129
【０１３３】
（RS）+（０）キーが結合 された場合：
2009501963.tif 000130
【０１３４】
（RS）+（ＬＳ）キーが結合 された場合：
2009501963.tif 000131
【０１３５】
本発明による漢字アルファベットの入力方法は組合型の方式を利用するので、漢字を入力していて誤った漢字であって修正が必要な場合には取り消すキーまたは、消しキーで一画ずつ消して行くことが出来る。例えば、入力しようとする漢字が「才」であるのに、「寸」で間違って入力した場合には、最後の字画の
2009501963.tif 000132
を取り消すキーで修正した後
2009501963.tif 000133
字画を入力すれば才で修正される。
【０１３６】
また、求を入力しようとすれば寸入力の後に続けて次の字画を入力すれば出来るし、万一寸が望む漢字の場合は確認キーをクリックして入力の確定後に新しい漢字を入力すれば出来る。また、使用者の疲労度を勘案して画面で入力するカーサーの真下や上または左右に四角の窓を置いてポントの大きさを調整して大きく見えるようにすることも出来る。
【０１３７】
理論的にすべての漢字はそれぞれの漢字の筆順によって総１２個のキーパッドを利用して入力することが出来るが、すべての漢字を画数だけで入力すれば総画が多すぎる漢字は入力時間があまりにも長くなる。従って、字画の入力法の基本は維持するが、これをもっとも便利に変形した第２の入力法について説明する。
【０１３８】
第２入力法は使用者が入力しようとする漢字の一番目の画に当たるキーを押せば入力された字画で始めるすべての漢字が画面が許容する範囲内で個別目録窓に配列されることである。図７は本発明の一実施形態による漢字目録窓の例を表す。万一使用者が携帯電話で「慧」を入力しようとする場合、この漢字の一番目の画の「一」が配置されたキーを押せば、図７のような目録窓が携帯電話の画面に現れることになる。 従って、使用者は１列に羅列された「慧」の位置番号５を長く押すことによって漢字を入力することになる。下位２個列は↓方向キーを利用することが出来る。目録窓に現れたそれぞれの漢字の配列は漢字アルファベットの配列法を従うので、漢字の数が多くても使用者は容易に自分で入力しようとする漢字を探すことが出来る。例えば、使用者は目録窓で直接「慧」の位置番号の１５番について一番のキーを短く、５番のキーを長く押す事によって漢字を入力することも出来るし、方向キーを利用して、望む漢字について番号キーを押すことによって漢字を入力することも出来る。
【０１３９】
万一、一番目の画によって配列された漢字が多すぎると、例えば３０個の単位で分けて目録窓を別にすることが出来る。すなわち、始めの３０個に該当する漢字だけを配列させて、使用者が「Page Down」キーまたは、同じ作用をする任意のキーを押せば次の３０個に該当する漢字を配列する方式である。例えば、携帯電話の左側キーを利用して以前のページと次のページに移動することも出来る。従って、使用者は窓に配列された漢字のうち自分で入力しようとする漢字を選ぶことによって手軽に望む漢字を入力することが出来ることである。目録窓に配列される漢字の数は、３０個以外にも、例えば１０個、２０個などに変更することが出来る。
【０１４０】
しかし、万一使用者が選んだ一番目の画に当たる漢字が多すぎるとこの中で望む漢字を探すのが難しくなる。従って、第２入力法を基本的に利用するが、これに付加的に、使用者が二番目の画、三番目の画などを連続で押せば、それぞれの二番目の画までまたは、三番目の画までに該当する漢字らが目録窓に配列されるようにすることで、使用者がもっとも少ない範囲で該当漢字を選ばせることも出来る。すなわち、使用者が総字画のうち、多くの字画を順番に押すほどこれに該当する漢字が少なくなるので、さらに少ない漢字が目録窓に配列されて、使用者はさらに容易に自分で入力しようとする漢字を探すことが出来ることになるのである。
【０１４１】
次に、第３入力法は全体の漢字のうち沢山使用する漢字を前もって抽出して漢字アルファベットの配列法によって配列した頻度窓を利用することである。
このような頻度窓はある国家で、例えば中国でいちばんよく使用する漢字を所定の個数を前もって抽出して漢字アルファベットの配列法によって配列したものである。従って、使用者がよく使用される漢字を入力しようとする場合には、頻度窓で望む漢字を番号キーまたは確認キーなどで選ぶことによって一度乃至三度にも入力することが出来る長所がある。上下の方向キーを利用した漢字頻度窓も活用することが出来る。
【０１４２】
上記で説明した第１入力法、第２入力法または第３入力法は漢字アルファベットの入力方法を遂行する為の携帯電話の漢字入力のシステムで使用者が望んだとおりに選んで使用することが出来て、この中で二つを共に使うことも出来る。
【０１４３】
また、上記第１入力法、第２入力法または第３入力法と共にキーパッドの色々の機能キーを利用した変形例も可能は勿論である。例えば、ハングルの双子音を入力しようとする場合、機能キーを利用して、キーに基本的に配置された子音を拡張出来るようにキーパッドに２６個の字画だけでなく、頻度数が高い漢字を共に配置して、機能キーと共にこのようなキーを押せば字画の代りに、その漢字が一度に入力される方式も可能である。さらに、キーパッドに代表的に使われる部首、例えば
2009501963.tif 000134
を共に配置して機能キーと共にこのようなキーを押せば、字画代りにその部首が一度に入力される方式も可能である。
【０１４４】
次に、漢字アルファベットの入力方法を遂行する為の漢字の入力システムについて図９を利用して説明する。
【０１４５】
図８は本発明の望ましい実施形態による漢字の入力システムのブロック図である。漢字の入力システム（１００）はキー入力部（１０２）、文字発生制御部（１０４）及び、表示部（１０６）に成り立つ。キー入力部（１０２）は漢字の字画が所定個、例えば２６個配置された多数のキーを具備していて、使用者が特定キーを押す時該当されるキーデータを発生して文字発生制御部（１０４）で出力することになる。文字発生制御部（１０４）は漢字入力システムの全般的な動作を制御する役割りをする。表示部（１０６）はキー入力部（１０２）で発生されるキーデータ及び文字発生制御部（１０４）の各種の情報信号が入力されて携帯電話にディスプレーする。
【０１４６】
すなわち、上記の漢字アルファベットの入力方法で説明したことのように、使用者がキー入力部（１０２）に配置されたキーを押せば、キー入力部（１０２）は各キーに対応する信号を発生させて、文字発生制御部（１０４）はそれぞれの入力法による文字の表示と入力を制御して、表示部（１０６）は入力されたキーによる選ばれた漢字を表示することになる。
【０１４７】
漢字の入力システム（１００）のキー入力部（１０２）は図３及び図４を参照して上記で説明したことのような多様な配列方式によるキーパッドで具現されることが出来て、表示部（１０６）は一般的にＬＣＤ（Liquid Crystal Display）窓などを利用した携帯電話のディスプレーで具現されることが出来る。
【０１４８】
（比較例）
以下では、中国でいちばん沢山使用されている「T９携帯電話」で利用する漢字の入力方法による事例と本発明を比較にして説明する。
【０１４９】
ホームページ「www。t９.com/t９_languages。html」を参照すれば、このサイトには間体字シミュレータ（ChineseーSimplified）とシミュレータ（ChineseーTraditional）の二つの種類で入力の例示文章が現れる。一番目の漢字は一番目の画から続けて入力すれば現れるし、二番目の漢字からは一番目の漢字とうまく結合する漢字を頻度順によって登場させるので一番目の漢字だけを比較対象にして説明する。
【０１５０】
「T９携帯電話」で利用する漢字の入力方法は、使用者が文字メッセージ窓を開けば間体字と翻体字すべて六つの（的一不是了我）漢字が登場するのに、これらの漢字は頻度数がいちばん高いから配置してあることである。これらは漢字で作ってある全体文章の１０％程度を占めるので、使用者が漢字を入力する時１０％程度は該当の位置番号を押すと一回だけに入力される事が出来る長所がある。しかし、漢字の入力がこのような六つの漢字だけで入力することが出来ないことが現実であるので問題になる。
【０１５１】
「T９携帯電話」で利用する漢字の入力方法は、中国で広く使用されている五つの字画（配列順序）が：
2009501963.tif 000135
で入力する方式である。しかし、このような方法で入力すれば、一番目の漢字から頻度順によって現れる漢字を字画が一つずつ増える時ごとに確認しなければならない不便さがあって、入力時間が沢山所要されることになる。従って、使用者は長時間の利用の時には疲労度が高いしかない。
【０１５２】
ところで、本発明による漢字アルファベットの入力方法は英語アルファベットの概念と同じように漢字を２６個の字画に分類したので、長時間の入力をしてもずっと少なめに疲れた長所がある。例えば、T９携帯電話では
2009501963.tif 000136
を入力する時のクリックが数が４回であるが本発明によれば（３）番キー、（９）番キーの入力だけで
2009501963.tif 000137
が現れる。本発明によれば
2009501963.tif 000138
の順番に配列されて
2009501963.tif 000139
は五番目に位置するので キーパッドの「５」を長く押せば良い。従って、４回を入力しなければならなかったことが３回の入力で入力の回数が減ることになる。そしてT９携帯電話で翻体字請を入力する時に、八番目の目録が計諸請訂語試ので最終入力の回数は９回が必要であるが、本発明によれば一番目の入力の時に
2009501963.tif 000140
の順序で配列されるから請は五番目に位置するのでキーパッドの「５」を長く押せば良い。従って、９回を入力しなければならなかったことが２回の入力で入力の回数が大幅に減ることになる。
【０１５３】
また、T９社の入力方式の根本的な問題はこれが頻度順に従うので中国や台湾で決めた常用漢字の範囲を立つことが大変だと言うことである。しかしながら、本発明によれば、必要によって中国の常用漢字を含んだすべての漢字を入力することが 可能なので、どんな方式よりも漢字と親和的であり、ずっと効率的であって速く入力される長所がある。
【０１５４】
上記のように漢字アルファベットの配列法（漢字アルファベット配列法）は基本の原理が簡単なので誰でも簡単に習うことができて、短い時間の学習だけでも充分な検字能力を持つことが出来る優秀な方法である。従って、部数、子音や総画険字法に大きく依存して来た不便な漢字の検索方法代りに、漢字アルファベットの配列法によれば字画を認識して誰でもどんな部首に属するのか、どのような子音なのか、総画が幾らなのかを知らなくても漢字を見ながら決められた筆順によって正確に探すことが出来ることになる。
【０１５５】
また、このような漢字アルファベットの配列法に基礎した漢字アルファベットの入力方法及び漢字入力システムは漢字を字画を基準に分解して携帯電話などの情報通信端末機のキーパッドに配置することによって、端末機を利用する時、誰でも手軽に漢字を入力することが出来て、入力する速度が別の方法に比べて非常に速いと言う効果がある。さらに、本発明は漢字をアルファベットで概念化したから望む漢字の筆順だけ正確に分っていれば視覚の障害人もいくらでも漢字の入力をすることが出来る。
【０１５６】
以上本発明の望ましい実施形態を上げて詳しく説明したが、本発明は上記の実施形態に限定されるのではなく、本発明の技術的な事象の範囲内で当分野で通常の知職を持った者によって色々な変形が可能である。
【図面の簡単な説明】
【０１５７】
【図１】中国式の漢字部首を漢字アルファベットの配列法によって順序どおりに配列したものを表した図である。
【図２】日本式の漢字部首を漢字アルファベットの配列法によって順序どおりに配列したものを表した図である。
【図３】本発明の望ましい実施形態による漢字の入力方法を遂行する為のキーパッドの配置を表した図である。
【図４】本発明の別の実施形態による漢字の入力方法を遂行する為のキーパッドの配置を表した図である。
【図５】本発明の別の実施形態による漢字の入力方法を遂行する為のキーパッドの配置を表した図である。
【図６】本発明の別の実施形態による漢字の入力方法を遂行する為のキーパッドの配置を表した図である。
【図７】本発明の別の実施形態による漢字の入力方法を遂行する為のキーパッドの配置を表した図である。
【図８】本発明の一実施形態による漢字の入力方法の漢字の目録窓をした図である。
【図９】本発明の望ましい実施形態による漢字の入力システムのブロック図である。
【図３】
2009501963.tif 000145
【図４】
2009501963.tif 000146
【図５】
2009501963.tif 000147
【図６】
2009501963.tif 000148
【図７】
2009501963.tif 000149
【図８】
2009501963.tif 000150
【図１】
2009501963.tif 000151
【図２】
2009501963.tif 000152
【図９】
2009501963.tif 000153
【国際調査報告】
2009501963.tif 000154
2009501963.tif 000155